(57)【要約】【課題】腕時計における１２時側に回転して腕時計が外側にずれることを簡易な構成により抑制することのできるバンド取付構造及び時計を提供する。【解決手段】バンド３を腕時計ケース２に取り付けるバンド取付構造において、バンド３は、腕時計１における１２時側に配置される第１のバンド３ａと腕時計１における６時側に配置される第２のバンド３ｂとからなり、腕時計１の１２時側に配置される第１のバンド３ａは、腕時計ケース２のケース裏面である裏蓋２３に取り付けられている。【選択図】図２
2014173856.tif 000002
【特許請求の範囲】
【請求項１】
バンドを腕時計ケースに取り付けるバンド取付構造において、
前記バンドは、腕時計における１２時側に配置される第１のバンドと、腕時計における６時側に配置される第２のバンドと、からなり、
該腕時計の１２時側に配置される前記第１のバンドは、前記腕時計ケースのケース裏面に取り付けられていることを特徴とするバンド取付構造。
【請求項２】
前記第１のバンドは、前記ケース裏面に回転可能に取り付けられることを特徴とする請求項１に記載のバンド取付構造。
【請求項３】
前記第１のバンドは、ビスによって前記ケース裏面に取り付けられることを特徴とする請求項１又は請求項２に記載のバンド取付構造。
【請求項４】
前記第１のバンドは、ボールジョイント部材によって前記ケース裏面に取り付けられることを特徴とする請求項２に記載のバンド取付構造。
【請求項５】
前記第１のバンドは、ダンパージョイント部材によって前記ケース裏面に取り付けられることを特徴とする請求項２に記載のバンド取付構造。
【請求項６】
前記第１のバンドには、前記腕時計ケースのケース裏面の少なくとも一部を覆うとともに前記腕時計における６時側から前記腕時計における１２時側に向かって厚みを増すように傾斜する傾斜部が一体的に形成されていることを特徴とする請求項１から請求項５のいずれか一項に記載のバンド取付構造。
【請求項７】
請求項１から請求項６のいずれかに記載のバンド取付構造を備えたことを特徴とする時計。
【発明の詳細な説明】
【技術分野】
【０００１】
本発明は、バンド取付構造及び時計に関するものである。
【背景技術】
【０００２】
従来、腕時計ケースにバンドを取り付ける取付構造として、取付孔が形成された取付突起部が側部に設けられた腕時計ケースと、腕時計ケースの取付突起部に取り付けられる先端部に、取付孔に対応して連続する状態で貫通孔が形成されたバンドと、取付突起部の取付孔及びバンドの貫通孔に連続して挿入される固定用の棒状部材（筒状部材、ねじ部材）を備えるものが知られている（例えば、特許文献１参照）。
このような従来の腕時計では、腕時計の１２時側及び６時側となる腕時計ケースの側部にそれぞれバンドが取り付けられる。
【先行技術文献】
【特許文献】
【０００３】
【特許文献１】特許第５１３１５９２号公報
【発明の概要】
【発明が解決しようとする課題】
【０００４】
しかしながら、腕時計等の機器を装着する腕は、断面において若干楕円形をしており、腕時計等を装着しているうちに、腕時計等における１２時側にバンドが回転して腕時計等が外側にずれやすく、姿勢を維持するのが難しいという問題がある。
【０００５】
本発明は以上のような事情に鑑みてなされたものであり、バンドが腕時計における１２時側に回転して腕時計が外側にずれることを簡易な構成により抑制することのできるバンド取付構造及び時計を提供することを目的とするものである。
【課題を解決するための手段】
【０００６】
前記課題を解決するために、本発明に係るバンド取付構造は、
バンドを腕時計ケースに取り付けるバンド取付構造において、
前記バンドは、腕時計における１２時側に配置される第１のバンドと、腕時計における６時側に配置される第２のバンドと、からなり、
該腕時計の１２時側に配置される前記第１のバンドは、前記腕時計ケースのケース裏面に取り付けられていることを特徴としている。
【発明の効果】
【０００７】
本発明によれば、バンドが腕時計における１２時側に回転して腕時計等が外側にずれることを簡易な構成により抑制することができるという効果を奏する。
【図面の簡単な説明】
【０００８】
【図１】第１の実施形態におけるバンド取付構造が適用された腕時計を上方から見た斜視図である。
【図２】図１に示す腕時計を下方から見た斜視図である。
【図３】第１の実施形態におけるバンド取付構造が適用された腕時計の正面図である。
【図４】図３に示す腕時計の背面図である。
【図５】図３に示す腕時計の左側面図である。
【図６】図３に示す腕時計の右側面図である。
【図７】図３に示す腕時計の平面図である。
【図８】図３に示す腕時計の底面図である。
【図９】図３に示す腕時計のIX-IX線に沿う模式的な断面図である。
【図１０】図４に示す腕時計の第１のバンドを１８０度回転させた状態を示す腕時計の背面図である。
【図１１】第２の実施形態におけるバンド取付構造が適用された腕時計を示す模式的な断面図である。
【図１２】第３の実施形態におけるバンド取付構造が適用された腕時計を示す模式的な断面図である。
【図１３】バンド取付構造が適用された腕時計の一変形例を示す模式的な断面図である。
【発明を実施するための形態】
【０００９】
［第１の実施形態］
図１から図１０を参照しつつ、本発明に係るバンド取付構造の第１の実施形態を説明する。なお、以下に述べる実施形態には、本発明を実施するために技術的に好ましい種々の限定が付されているが、本発明の範囲を以下の実施形態及び図示例に限定するものではない。
【００１０】
図１は、本実施形態におけるバンド取付構造が適用された腕時計を上方から見た斜視図であり、図２は、腕時計を下方から見た斜視図である。また、図３は、腕時計の正面図であり、図４は、腕時計の背面図である。また、図５は、腕時計の左側面図であり、図６は、腕時計の右側面図である。さらに、図７は、腕時計の平面図であり、図８は、腕時計の底面図である。また、図９は、図３におけるIX-IX線に沿う断面を模式的に示した模式的断面図である。
【００１１】
図１から図９に示すように、本実施形態において、腕時計１は、腕時計ケース２と、この腕時計ケース２に取り付けられたバンド３とを備えている。
図９に示すように、腕時計ケース２は、中空の短柱形状に形成されたケース枠体２１と、透明なガラス等で形成されこのケース枠体２１の上部（図９において上部）に取り付けられた風防部材２２と、ケース枠体２１の下面（図９において下面）に取り付けられた裏蓋２３とを備えている。ケース枠体２１の側部外周には、後述する第２のバンド３ｂの腕時計ケース２への取付側端部と一体化された外周部２４が設けられている。外周部２４は、第２のバンド３ｂと同じポリウレタン等の各種樹脂材料で形成されており、腕時計ケース２の側部外周を構成している。
【００１２】
本実施形態では、裏蓋２３の、腕時計１における１２時側（図３における左側）であって、腕時計１の幅方向（図３における縦方向）のほぼ中央部には、他の部分よりも厚みの厚いバンド固定部２３１（図９参照）が設けられている。バンド固定部２３１は、後述するように、時計モジュール７に形成されている凹部７１内に収容されるようになっている。バンド固定部２３１には、後述するビス２５を螺合させるビス孔２３２（図９参照）が形成されている。
なお、バンド固定部２３１及びビス孔２３２の位置や大きさ等は図示例に限定されない。例えば、ビス孔２３２は、腕時計ケース２の内部まで貫通する貫通孔であってもよい。また、バンド固定部２３１は裏蓋２３に一体的に設けられているものに限定されない。例えば、板状の裏蓋の内側（図９における上側）の一部に別部材として樹脂材料や金属材料等で形成されたバンド固定部を貼着等する構成としてもよい。この場合には、裏蓋におけるバンド固定部に形成されたビス孔に対応する位置に貫通孔を設けて、裏蓋の下方から挿通されるビス２５がバンド固定部のビス孔と螺合できるように構成する。
【００１３】
なお、腕時計ケース２の形状は図示例に限定されない。また、腕時計ケース２の構成は、ここに例示したものに限定されず、例えば、ケース枠体２１と裏蓋２３とが一体となった構成でもよい。また、後述する表示装置６が液晶パネル等を備えるデジタル式のものである場合には、表示装置６を構成するガラス等が風防部材を兼ねていてもよい。
ケース枠体２１及び裏蓋２３は、例えば各種樹脂材料や、ステンレス、チタニウム等の金属材料、セラミックス等、又はこれらの組み合せで形成されている。なお、ケース枠体２１及び裏蓋２３を形成する材料は例示したものに限定されない。
なお、図示は省略するが、腕時計ケース２の上面や側部外周に、時刻合わせ等、種々の操作を行うための操作ボタンが設けられていてもよい。
【００１４】
腕時計ケース２の内部には、例えば電子機器としての腕時計１の表示装置６（図９参照）やこの表示装置等を動作させるための各種電子部品等（図示せず）が搭載された時計モジュール７（図９参照）が収容されている。なお、表示装置６は、指針や文字板等を備えるアナログ式のものでもよいし、液晶パネルや有機ＥＬ（Electro-Luminescence）等で構成されたデジタル式のものでもよい。また、表示装置６は、アナログ式のものとデジタル式のものとが組み合わされたものであってもよい。
時計モジュール７は、例えば各種電子部品等を樹脂等でモールドしたものである。時計モジュール７の、腕時計１における１２時側であって、腕時計１の幅方向（図３における縦方向）のほぼ中央部には、凹部７１（図９参照）が形成されている。この凹部７１内には、前述のように裏蓋２３のバンド固定部２３１が収容される。
【００１５】
腕時計ケース２の上下（図３における左右）の両端部、すなわち腕時計の１２時側（腕時計を腕に装着して表示部分を見たときにユーザから見て奥側となる側、図３における左側）の端部及び６時側（腕時計を腕に装着して表示部分を見たときにユーザから見て手前側となる側、図３における右側）の端部には、バンド３が配置されている。
本実施形態では、腕時計１における１２時側に第１のバンド３ａが配置され、腕時計１における６時側に第２のバンド３ｂが配置されている。
バンド３（第１のバンド３ａ及び第２のバンド３ｂ）は、例えば、ポリウレタン等の各種樹脂材料で形成されている。なお、バンド３を形成する材料は例示したものに限定されない。例えば、ステンレス、チタニウム等の金属材料、セラミックス等、又はこれらの組み合せやこれらと各種樹脂材料との組み合せで形成されてもよい。
【００１６】
図１及び図２等に示すように、腕時計１における６時側に配置されている第２のバンド３ｂは、前述のように、腕時計ケース２への取付側端部が腕時計ケース２の側部外周を構成する外周部２４と一体化されており、第２のバンド３ｂは、腕時計ケース２の側部から外側に向かって延出している。本実施形態では、第２のバンド３ｂは、腕時計ケース２に対して裏面側（図８において下方）に３０度程度傾くように角度をもつように形成されている。これにより、第２のバンド３ｂは、腕時計ケース２の裏面側斜め下方に延垂するようになっている。なお、第２のバンド３ｂの腕時計ケース２に対する角度はここに例示したものに限定されない。腕時計ケース２に対して第２のバンド３ｂがさらに大きな角度をもっていてもよいし、腕時計ケース２の底面（ケース裏面）に対して第２のバンド３ｂがほぼ平行に設けられていてもよい。
なお、第２のバンド３ｂは、その腕時計ケース２への取付側端部が腕時計ケース２の側部外周を構成する外周部２４と一体化されているものに限定されない。第２のバンド３ｂを腕時計ケース２に取り付ける構成は、例えば、腕時計ケース２の６時側の端部に第２のバンド３ｂを取り付けるためのバンド取付部を設け、第２のバンド３ｂの取付側端部に、このバンド取付部に対応するケース取付部を設けて、このバンド取付部とケース取付部とを嵌め合わせて連結させ、この連結部分にばね棒等の棒状部材を挿通させることで第２のバンド３ｂを腕時計ケース２に取り付ける等の構成であってもよい。
【００１７】
腕時計１の１２時側に配置される第１のバンド３ａは、腕時計ケース２のケース裏面に取り付けられている。このように一対のバンド３のうち第１のバンド３ａのみが腕時計ケース２のケース裏面に取り付けられることにより、腕時計ケース２の厚みが、腕時計１の６時側における厚みよりも腕時計１の１２時側における厚みの方が第１のバンド３ａの厚み分だけ厚くなっている。
第１のバンド３ａは、バンド本体３１と、このバンド本体３１における腕時計ケース２への取付側端部にバンド本体３１と一体的に設けられたケース取付部３２と、を有している。バンド本体３１には、腕時計ケース２への取付側とは反対側の端部に、カサ３１１とツク棒３１２とを備える尾錠３１０が取り付けられている。
なお、第１のバンド３ａは、第２のバンド３ｂの先端部（剣先）が挿入される定革、遊革を備えていることが好ましいが、図１から図８では、定革、遊革の図示を省略している。
【００１８】
本実施形態において、第１のバンド３ａは、ケース取付部３２を腕時計ケース２のケース裏面（本実施形態では裏蓋２３）にビス止めすることにより腕時計ケース２に取り付けられる。
具体的には、ケース取付部３２における裏蓋２３のビス孔２３２に対応する位置には、ビス２５を挿通させる貫通孔３２１が形成されており、第１のバンド３ａは、ケース取付部３２の貫通孔３２１と裏蓋２３のビス孔２３２とにビス２５を下方（図９において下方）から挿通させ、ビス２５をビス孔２３２に螺合させることにより腕時計ケース２のケース裏面に固定される。
【００１９】
また、第１のバンド３ａは、ビス２５を緩めることにより、腕時計ケース２に対してビス２５を中心に回転可能となっている。
図１０に示すように、ビス２５を緩めて、第１のバンド３ａを１８０度回転（第１のバンド３ａの取り付け向きを反転）させることにより、第１のバンド３ａと第２のバンド３ｂとが重なり合うように揃った状態となる。
なお、ビス２５を多少の遊びをもって固定し、ビス２５を緩めることなく第１のバンド３ａを回転させることができるように構成してもよい。
【００２０】
本実施形態において、ケース取付部３２は、バンド本体３１に対してバンド３の裏面側に３０度程度傾くように角度をもって形成されている。これにより、ケース取付部３２を腕時計ケース２のケース裏面（すなわち裏蓋２３）に取り付けた際に、バンド本体３１が、腕時計ケース２の裏面側斜め下方に延垂するようになっている。なお、ケース取付部３２のバンド本体３１に対する角度はここに例示したものに限定されない。バンド本体３１に対してケース取付部３２がさらに大きな角度をもっていてもよいし、バンド本体３１に対してケース取付部３２が傾きをつけずに設けられていてもよい。
【００２１】
また、本実施形態において、第１のバンド３ａのケース取付部３２は、腕時計ケース２のケース裏面（本実施形態では裏蓋２３）の少なくとも一部を覆うとともに、腕時計１における６時側（すなわち、ケース取付部３２の腕時計ケース２への取付側端部の側）から腕時計１における１２時側（すなわち、バンド本体３１側）に向かって厚みを増すように傾斜する傾斜部となっている。
このように、ケース取付部３２に、腕時計１における６時側から腕時計１における１２時側に向かって徐々に厚みが厚くなるように傾斜が設けられていることにより、腕時計１を腕に装着した際にバンド３が腕に沿って馴染み、フィット感が増すとともに、１２時側へのバンド３の回転（ずれ）をより確実に抑止することができる。
なお、ケース取付部３２によって覆われる腕時計ケース２のケース裏面（本実施形態では裏蓋２３）の範囲は特に限定されず、例えば、ケース取付部３２が腕時計ケース２のケース裏面全体を覆っていてもよい。この場合でも、ケース取付部３２に、腕時計１における６時側から腕時計１における１２時側に向かって徐々に厚みが厚くなる傾斜を設けることにより、腕時計ケース２の１２時側の厚みを６時側の厚みよりも厚くすることができ、１２時側へのバンド３の回転（ずれ）を抑止することができる。
【００２２】
次に、本実施形態におけるバンド取付構造の作用について説明する。
本実施形態において、腕時計１における１２時側に配置される第１のバンド３ａを取り付ける際には、時計モジュール７の凹部７１内に裏蓋２３のバンド固定部２３１が収まるように裏蓋２３を配置した上で、第１のバンド３ａのケース取付部３２を、厚みの薄い先端側が腕時計１における６時側に来るようにして腕時計ケース２のケース裏面（本実施形態では裏蓋２３）に重ね合わせる。ケース取付部３２の貫通孔３２１が裏蓋２３のビス孔２３２と合うように位置を合わせ、ビス２５を貫通孔３２１及びビス孔２３２に下方から挿通させて、ビス２５をビス孔２３２に螺合させる。これにより、第１のバンド３ａが腕時計ケース２に取り付けられる。
他方、腕時計１における６時側に配置されている第２のバンド３ｂは、腕時計ケース２への取付側端部が腕時計ケース２の側部外周と一体化されており、第２のバンド３ｂは腕時計ケース２の側部から外側に延出している。
このように腕時計１における１２時側に配置されている第１のバンド３ａのみが腕時計ケース２のケース裏面である裏蓋２３に取り付けれていることにより、腕時計ケース２は、腕時計１における１２時側（図３、図８及び図９における左側）の方が腕時計１における６時側（図３、図８及び図９における右側）よりも、第１のバンド３ａの厚み分だけ厚みが厚くなる。これにより、腕時計１を腕に装着した際に、バンド３が腕時計１における１２時側に回転しづらくなり、腕時計１が外側にずれることが抑制される。
また、本実施形態では、ビス２５を緩めることで、第１のバンド３ａを腕時計ケース２のケース裏面において面内方向で回転させることができる。第１のバンド３ａの取り付け向きを１８０度反転させれば、第１のバンド３ａと第２のバンド３ｂとを同じ方向に揃えることができ、尾錠３１０をキーホルダ等に引っ掛けて容易に持ち歩くことが可能となる。また、第１のバンド３ａと第２のバンド３ｂとが同じ向きに揃い、重なり合った状態では、腕時計１をポケット等に収納しやすくなる。
【００２３】
以上のように、本実施形態によれば、腕時計１における１２時側に配置される第１のバンド３ａが腕時計ケース２のケース裏面である裏蓋２３に取り付けられている。これにより、腕時計ケース２は、腕時計１における１２時側（図３、図８及び図９における左側）の方が腕時計１における６時側（図３、図８及び図９における右側）よりも、第１のバンド３ａの厚み分だけ厚みが厚くなる。腕時計１を装着する腕は、断面において若干楕円形をしており、腕時計１を装着しているうちに、腕時計１における１２時側にバンド３が回転して腕時計１が外側にずれやすく、姿勢を維持するのが難しい。この点、腕時計１における６時側よりも腕時計１における１２時側の方が腕時計ケース２の厚みが厚くなるようにすることにより、バンド３が腕時計１における１２時側に回転することが抑止される。これにより、腕時計１を装着しているうちに腕時計１が外側にずれてしまうのを防止することができる。
また、第１のバンド３ａは、ケース裏面である裏蓋２３に回転可能に取り付けられている。このため、第１のバンド３ａの取り付け向きを１８０度反転させて、第１のバンド３ａと第２のバンド３ｂとを同じ方向に揃えることができる。これにより、尾錠３１０をキーホルダ等に引っ掛けて持ち歩くような腕時計１の用い方をすることができ、腕時計１の用途が広がる。また、第１のバンド３ａと第２のバンド３ｂとが同じ向きに揃い、重なり合っている状態では、バンド３がある程度硬く変形しにくい材料でできている場合でもかさばらずに腕時計１をポケット等に収納できるため、腕時計１を携帯する際等に便利である。
また、本実施形態では、第１のバンド３ａは、ビス２５によってケース裏面である裏蓋２３に取り付けられている。これにより、簡易な構成で第１のバンド３ａを腕時計ケース２のケース裏面に取り付けることができる。
また、第１のバンド３ａには、腕時計ケース２のケース裏面（本実施形態では裏蓋２３）の少なくとも一部を覆うとともに腕時計１における６時側から腕時計１における１２時側に向かって徐々に厚みが増すように傾斜するケース取付部３２が一体的に形成されている。ケース取付部３２がこのような傾斜を有する傾斜部となっていることにより、腕時計１を腕に装着した際にバンド３が腕に沿って馴染み、フィット感が増す。また、腕時計１の１２時側における腕時計ケース２の厚みが傾斜分だけ厚くなるために、腕時計１の１２時側へのバンド３の回転（ずれ）をより確実に抑止して、腕時計１が外側にずれるのを防止することができる。
【００２４】
なお、本実施形態では、腕時計ケース２のケース裏面である裏蓋２３の一部に他より厚みの厚いバンド固定部２３１を設けて、このバンド固定部２３１にビス２５を螺合させるビス孔２３２を形成する場合を例示したが、ビス２５を螺合させる構成はこれに限定されない。
例えば、裏蓋２３を板状に形成し、腕時計ケース２内部に収納される時計モジュール７にビス２５を螺合させるビス孔を形成してもよい。この場合、裏蓋２３には、時計モジュール７のビス孔に対応する位置に貫通孔を設ける。
【００２５】
［第２の実施の形態］
次に、図１１を参照しつつ、本発明に係るバンド取付構造の第２の実施形態について説明する。なお、本実施形態は、第１のバンドのケース取付部を腕時計ケースのケース裏面に取り付ける構成のみが第１の実施形態と異なるものであるため、以下においては、特に第１の実施形態と異なる点について説明する。
【００２６】
図１１は、本実施形態のバンド取付構造を適用した腕時計の模式的な断面図である。
図１１に示すように、本実施形態の腕時計ケース２は、ケース枠体２１の下面（図１１において下面）に取り付けられた平板状の裏蓋２３を備えている。
【００２７】
裏蓋２３の下面（図１１において下面）における腕時計の１２時側であって、時計の幅方向のほぼ中央部には、ボールジョイント部材２６が固定されている。ボールジョイント部材２６は、裏蓋２３の下面（図１１において下面）に固定される脚部２６１と、この脚部２６１の下端部に形成されたほぼ球状のジョイント部２６２とで構成されている。
なお、ボールジョイント部材２６の固定の仕方は特に限定されない。例えば、ボールジョイント部材２６は、裏蓋２３に脚部２６１を接着、溶着等することにより取り付けられていてもよいし、脚部２６１がねじ等により裏蓋２３に螺着されていてもよい。また、裏蓋２３とボールジョイント部材２６とを一体成型したものを用いてもよい。また、ボールジョイント部材２６は、腕時計ケース２の裏面に設けられていればよく、裏蓋２３に固定されているものに限定されない。例えば、腕時計ケース２内部の時計モジュール７等にねじ等で固定されていてもよい。
【００２８】
第１のバンド３ｃのケース取付部３３には、ボールジョイント部材２６に対応する位置に係合孔３３１が形成されている。
係合孔３３１は、ケース取付部３３の厚み方向（図１１における上下方向）に貫通しており、ボールジョイント部材２６の球状のジョイント部２６２が嵌め込まれるほぼ球状のジョイント保持部３３１ａと、このジョイント保持部３３１ａの上部に形成された挿通部３３１ｂ及びジョイント保持部３３１ａの下部に形成された挿通部３３１ｃとで構成されている。挿通部３３１ｂはジョイント保持部３３１ａからケース取付部３３の上部に向かって徐々に広がるテーパ状となっており、挿通部３３１ｂのジョイント保持部３３１ａ側の径は、ジョイント部２６２の径よりも小さく、挿通部３３１ｂのケース取付部３３上部の開口側の径はジョイント部２６２の径よりも大きくなっている。また、挿通部３３１ｃはジョイント保持部３３１ａからケース取付部３３の下部に向かって徐々に広がるテーパ状となっており、挿通部３３１ｃのジョイント保持部３３１ａ側の径は、ジョイント部２６２の径よりも小さくなっている。
本実施形態では、第１のバンド３ｃのケース取付部３３は、樹脂等の柔軟性を有する材料で形成されており、ボールジョイント部材２６のジョイント部２６２を挿通部３３１ｂから押し込むことで挿通部３３１ｂが押し拡げられる。これにより、ジョイント部２６２をジョイント保持部３３１ａに嵌め込むことができる。
【００２９】
なお、その他の構成は、第１の実施形態と同様であることから、同一部材には同一の符号を付して、その説明を省略する。
【００３０】
次に、本実施形態におけるバンド取付構造の作用について説明する。
本実施形態において、腕時計１における１２時側に配置される第１のバンド３ｃを取り付ける際には、第１のバンド３ｃのケース取付部３３を、腕時計ケース２のケース裏面（裏蓋２３）における腕時計の１２時側に重ね合わせ、裏蓋２３に設けられているボールジョイント部材２６のジョイント部２６２をケース取付部３３の挿通部３３１ｂから係合孔３３１に押し込む。そして、ジョイント部２６２がジョイント保持部３３１ａに嵌め込まれることにより、第１のバンド３ｃが腕時計ケース２に取り付けられる。
このように腕時計における１２時側に配置されている第１のバンド３ｃのみが腕時計ケース２のケース裏面である裏蓋２３に取り付けれていることにより、腕時計ケース２は、腕時計における１２時側（図１１における左側）の方が腕時計における６時側（図１１における右側）よりも、第１のバンド３ｃの厚み分だけ厚みが厚くなる。これにより、腕時計を腕に装着した際に、バンド３が腕時計における１２時側に回転しづらくなり、腕時計が外側にずれることが抑制される。
本実施形態では、第１のバンド３ｃを、腕時計ケース２のケース裏面において面内方向で回転させることができるため、第１のバンド３ｃをほぼ１８０度回転させれば、第２のバンド３ｂと向きを揃え、重ね合わせることも可能となる。さらに、第１のバンド３ｃのケース取付部３３は、球状のジョイント部２６２を中心に自由に回動可能であるため、腕時計を腕に装着した際、第１のバンド３ｄが腕によくフィットし、装着性がよい。
【００３１】
なお、その他の点については、第１の実施形態と同様であることから、その説明を省略する。
【００３２】
以上のように、本実施形態によれば、第１の実施形態と同様の効果を得られる他、以下の効果を得ることができる。
すなわち、本実施形態では、第１のバンド３ｃをボールジョイント部材２６によって腕時計ケース２に取り付けている。
このため、第１のバンド３ｃをより円滑に回転させることができ、ユーザが第１のバンド３ｃの向きを自由に変えて楽しむことができる。また、第１のバンド３ｃをほぼ１８０度回転させて第２のバンド３ｂと重ね合わせた状態にすれば、腕時計をポケット等に入れて携帯する場合にもかさばらず、便利である。
また、このように第１のバンド３ｃの取り付けにボールジョイント部材２６を用いているため、第１のバンド３ｃのケース取付部３３は、腕時計ケース２のケース裏面における面内方向の回転のみならず、球状のジョイント部２６２を中心に自由に回動可能である。このため、腕時計を腕に装着した際、第１のバンド３ｄが腕によくフィットし、装着性が向上する。
【００３３】
なお、本実施形態では、ボールジョイント部材２６を係合させる係合孔３３１が、ジョイント保持部３３１ａとその上下に形成された挿通部３３１ｂ及び挿通部３３１ｃで構成されている場合を例示したが、係合孔３３１の形状や構成はここに例示したものに限定されない。
例えば、ボールジョイント部材２６をケース取付部３３の上方から押し込んで係合孔３３１に係合させる場合、係合孔３３１を貫通孔とせずに挿通部３３１ｃを設けない構成としてもよい。この場合には、外部からボールジョイント部材２６のジョイント部２６２が見えないため外観上好ましい。
【００３４】
また、第１のバンド３ｃの係合孔３３１にボールジョイント部材２６のジョイント部２６２を係合させる手法は、ここに例示したものに限定されない。
例えば、ボールジョイント部材２６を裏蓋２３とは別体の部材とし、裏蓋２３にねじ止め等により固定される構成とした場合には、ボールジョイント部材２６をケース取付部３３の下方（図１１において下方）から係合孔３３１に押し込んでジョイント部２６２を係合孔３３１に係合させ、その後に裏蓋２３にねじ止め等により固定してもよい。
【００３５】
［第３の実施の形態］
次に、図１２を参照しつつ、本発明に係るバンド取付構造の第３の実施形態について説明する。なお、本実施形態は、第１のバンドのケース取付部を腕時計ケースのケース裏面に取り付ける構成のみが第１の実施形態等と異なるものであるため、以下においては、特に第１の実施形態等と異なる点について説明する。
【００３６】
図１２は、本実施形態のバンド取付構造を適用した腕時計の模式的な断面図である。
図１２に示すように、本実施形態の腕時計ケース２は、ケース枠体２１の下面（図１２において下面）に取り付けられた平板状の裏蓋２３を備えている。
【００３７】
裏蓋２３の下面（図１２において下面）における腕時計の１２時側であって、時計の幅方向のほぼ中央部には、ダンパージョイント部材２７が固定されている。ダンパージョイント部材２７は、裏蓋２３の下面（図１２において下面）に固定される脚部２７１と、この脚部２７１の下端部に形成されたジョイント部２７２とで構成されている。ダンパージョイント部材２７は、例えば、樹脂等の弾性を有する材料により形成されている。
なお、ダンパージョイント部材２７の固定の仕方は特に限定されない。例えば、ダンパージョイント部材２７は、裏蓋２３に脚部２７１を接着する等により取り付けられていてもよいし、脚部２７１がねじ等により裏蓋２３に螺着されていてもよい。また、裏蓋２３が樹脂等で形成されている場合には、裏蓋２３とダンパージョイント部材２７とを一体成型したものを用いてもよい。
また、ダンパージョイント部材２７は、腕時計ケース２の裏面に設けられていればよく、裏蓋２３に固定されているものに限定されない。例えば、腕時計ケース２内部の時計モジュール７等にねじ等で固定されていてもよい。
【００３８】
第１のバンド３ｄのケース取付部３４の上面（図１２における上面、裏蓋２３に対向する面）には、ダンパージョイント部材２７に対応する位置に係合孔３４１が形成されている。
係合孔３４１は、ケース取付部３４の上面に開口する挿通部３４１ａと、挿通部３４１ａよりも下側（図１２における下側）に形成され挿通部３４１ａよりも径の大きなジョイント保持部３４１ｂと、からなる。ダンパージョイント部材２７のジョイント部２７２は、係合孔３４１の挿通部３４１ａよりも径が大きく、ジョイント保持部３４１ｂよりも径が小さくなっている。
本実施形態では、第１のバンド３ｄのケース取付部３４は、樹脂等の柔軟性を有する材料で形成されており、ダンパージョイント部材２７のジョイント部２７２を挿通部３４１ａから押し込むことで挿通部３４１ａが押し拡げられる。これにより、ジョイント部２７２をジョイント保持部３４１ｂに嵌め込むことができる。
【００３９】
なお、その他の構成は、第１の実施形態等と同様であることから、同一部材には同一の符号を付して、その説明を省略する。
【００４０】
次に、本実施形態におけるバンド取付構造の作用について説明する。
本実施形態において、腕時計１における１２時側に配置される第１のバンド３ｄを取り付ける際には、第１のバンド３ｄのケース取付部３４を、腕時計ケース２のケース裏面（裏蓋２３）における腕時計の１２時側に重ね合わせ、裏蓋２３に設けられているダンパージョイント部材２７のジョイント部２７２をケース取付部３４の挿通部３４１ａから係合孔３４１に押し込む。そして、ジョイント部２７２がジョイント保持部３４１ｂに嵌め込まれることにより、第１のバンド３ｄが腕時計ケース２に取り付けられる。
このように腕時計における１２時側に配置されている第１のバンド３ｄのみが腕時計ケース２のケース裏面である裏蓋２３に取り付けれていることにより、腕時計ケース２は、腕時計における１２時側（図１２における左側）の方が腕時計における６時側（図１２における右側）よりも、第１のバンド３ｄの厚み分だけ厚みが厚くなる。これにより、腕時計を腕に装着した際に、バンド３が腕時計における１２時側に回転しづらくなり、腕時計が外側にずれることが抑制される。
また、本実施形態では、第１のバンド３ｄを、腕時計ケース２のケース裏面において面内方向で回転させることができるため、第１のバンド３ｄをほぼ１８０度回転させれば、第２のバンド３ｂと向きを揃え、重ね合わせることも可能となる。さらに、ダンパージョイント部材２７が自由に撓ることにより、第１のバンド３ｄのケース取付部３４は、ジョイント部２７２を中心に自由に回動可能であるため、腕時計を腕に装着した際、第１のバンド３ｄが腕によくフィットし、装着性がよい。
【００４１】
なお、その他の点については、第１の実施形態等と同様であることから、その説明を省略する。
【００４２】
以上のように、本実施形態によれば、第１の実施形態等と同様の効果を得られる他、以下の効果を得ることができる。
すなわち、本実施形態では、第１のバンド３ｄを弾性を有するダンパージョイント部材２７によって腕時計ケース２に取り付けている。
このため、第１のバンド３ｄをより円滑に回転させることができ、ユーザが第１のバンド３ｄの向きを自由に変えて楽しむことができる。また、第１のバンド３ｄをほぼ１８０度回転させて第２のバンド３ｂと重ね合わせた状態にすれば、腕時計をポケット等に入れて携帯する場合にもかさばらず、便利である。
また、ダンパージョイント部材２７が自由に撓ることにより、第１のバンド３ｄのケース取付部３４は、腕時計ケース２のケース裏面における面内方向の回転のみならず、ジョイント部２７２を中心に自由に回動可能であり、腕時計を腕に装着した際、第１のバンド３ｄが腕によくフィットし、装着性が向上する。
【００４３】
なお、本実施形態では、ダンパージョイント部材２７のジョイント部２７２を第１のバンド３ｄの係合孔３４１に上方から押し込み、ジョイント部２７２をジョイント保持部３４１ｂに係合させる例を示したが、ダンパージョイント部材２７のジョイント部２７２及び係合孔３４１の構成は例示したものに限定されない。
例えば、ダンパージョイント部材２７を裏蓋２３とは別体の部材として、裏蓋２３にねじ止め等により固定される構成とし、第１のバンド３ｄの係合孔３４１を、ジョイント部２７２よりも径の大きなジョイント保持部３４１ｂとジョイント部２７２よりも径の小さな挿通部３４１ａとからなり、ケース取付部３４の厚み方向（図１２における上下方向）に貫通する貫通孔としてもよい。この場合には、例えば、ダンパージョイント部材２７の脚部２７１をケース取付部３４の下方（図１２における下方）から挿入してジョイント部２７２を係合孔３４１に係合させ、その後にダンパージョイント部材２７の脚部２７１を裏蓋２３にねじ止めする等により固定する。
【００４４】
なお、以上本発明の実施形態について説明したが、本発明は、かかる実施形態に限定されず、その要旨を逸脱しない範囲で、種々変形が可能であることは言うまでもない。
【００４５】
例えば、上記各実施形態では、第１のバンド３ａ、３ｃ、３ｄが回転可能な構成としたが、第１のバンド３ａ，３ｃ，３ｄは、腕時計ケース２のケース裏面（裏蓋２３）に取り付けられていればよく、必ずしも回転するものに限定されない。
例えば、図１３に示すように、第１のバンド３ｅのケース取付部３５が接着剤２８により腕時計ケース２のケース裏面（裏蓋２３）に固定されていてもよい。
また、第１の実施形態では、第１のバンド３ａのケース取付部３２を１本のビス２５によって腕時計ケース２のケース裏面（裏蓋２３）に取り付ける場合を例示したが、第１のバンド３ａをケース裏面に取り付けるビスの数は１本に限定されない。複数のビスによって、第１のバンド３ａが回転しないように腕時計ケース２のケース裏面（裏蓋２３）に固定する構成としてもよい。
【００４６】
また、上記各実施形態では、ケース取付部３２，３３，３４が、腕時計ケース２のケース裏面（裏蓋２３）の少なくとも一部を覆うとともに、腕時計１における６時側から腕時計１における１２時側に向かって厚みを増すように傾斜する傾斜部となっている場合を例示したが、ケース取付部３２，３３，３４の形状は例示したものに限定されず、傾斜を有しない平板状の部であってもよい。
この場合でも、ケース取付部３２，３３，３４の厚み分だけ腕時計ケース２の１２時側の厚みが６時側の厚みよりの厚くなるため、腕時計の１２時側へのバンド３の回転（ずれ）を抑止することができる。
【００４７】
また、上記各実施形態では、バンド３を構成する第１のバンド３ａ，３ｃ，３ｄ、第２のバンド３ｂが別体となったものを例示したが、バンド３の構成はこれに限定されない。
例えば、第１のバンドと第２のバンドとが中留によって連結され一つながりに構成されたバンドであってもよい。この場合にも、腕時計における１２時側に配置される第１のバンドのケース取付部を腕時計ケースの裏面側に取り付けることにより、腕時計ケースは、腕時計における１２時側の方が腕時計における６時側よりも、第１のバンドの厚み分だけ厚みが厚くなる。これにより、腕時計を腕に装着した際に、バンドが腕時計における１２時側に回転しづらくなり、腕時計が外側にずれることが抑制される。
【００４８】
また、上記各実施形態では、バンド取付構造を腕時計に適用した場合を例として説明したが、バンド取付構造を適用するものは本体ケース（本実施形態では腕時計ケース）とこれに取り付けられるバンドを備えるものであればよく、腕時計に限定されない。例えば、歩数計、心拍計や脈拍計等の生体情報表示装置、高度情報や気圧情報等の表示装置、携帯型のプレーヤ等、バンドによって腕に装着可能な各種の機器に本発明のバンド取付構造を適用してもよい。
この場合、腕時計の１２時側とは、腕時計等の機器を腕に装着して表示部分を見たときにユーザから見て奥側となる側を意味し、腕時計の６時側とは、腕時計等の機器を腕に装着して表示部分を見たときにユーザから見て手前側となる側を意味する。
【００４９】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
バンドを腕時計ケースに取り付けるバンド取付構造において、
前記バンドは、腕時計における１２時側に配置される第１のバンドと、腕時計における６時側に配置される第２のバンドと、からなり、
該腕時計の１２時側に配置される前記第１のバンドは、前記腕時計ケースのケース裏面に取り付けられていることを特徴とするバンド取付構造。
＜請求項２＞
前記第１のバンドは、前記ケース裏面に回転可能に取り付けられることを特徴とする請求項１に記載のバンド取付構造。
＜請求項３＞
前記第１のバンドは、ビスによって前記ケース裏面に取り付けられることを特徴とする請求項１又は請求項２に記載のバンド取付構造。
＜請求項４＞
前記第１のバンドは、ボールジョイント部材によって前記ケース裏面に取り付けられることを特徴とする請求項２に記載のバンド取付構造。
＜請求項５＞
前記第１のバンドは、ダンパージョイント部材によって前記ケース裏面に取り付けられることを特徴とする請求項２に記載のバンド取付構造。
＜請求項６＞
前記第１のバンドには、前記腕時計ケースのケース裏面の少なくとも一部を覆うとともに前記腕時計における６時側から前記腕時計における１２時側に向かって厚みを増すように傾斜する傾斜部が一体的に形成されていることを特徴とする請求項１から請求項５のいずれか一項に記載のバンド取付構造。
＜請求項７＞
請求項１から請求項６のいずれかに記載のバンド取付構造を備えたことを特徴とする時計。
【符号の説明】
【００５０】
１        腕時計
２        腕時計ケース
３        バンド
３ａ      第１のバンド
３ｂ      第２のバンド
６        表示装置
７        時計モジュール
２１      ケース枠体
２３      裏蓋
２５      ビス
３１      バンド本体
３２      ケース取付部
７１      凹部
２３１    バンド固定部
２３２    ビス孔
３２１    貫通孔
【図１】
2014173856.tif 000003
【図２】
2014173856.tif 000004
【図３】
2014173856.tif 000005
【図４】
2014173856.tif 000006
【図５】
2014173856.tif 000007
【図６】
2014173856.tif 000008
【図７】
2014173856.tif 000009
【図８】
2014173856.tif 000010
【図９】
2014173856.tif 000011
【図１０】
2014173856.tif 000012
【図１１】
2014173856.tif 000013
【図１２】
2014173856.tif 000014
【図１３】
2014173856.tif 000015